(57)【要約】【課題】照明装置の設置時や取外時における作業を容易に行うことができる取付構造を提供する。【解決手段】取付具１は、被取付部に装着される第１取付体１Ａと、照明装置２に装着される第２取付体１Ｂを有し、第１取付体１Ａのフック係合部１２ｓに対する第２取付体１Ｂのフック部１６ｓの係合により、当該係合部分を通過するとともに被取付部に沿った軸周りに、第１取付体１Ａに対して第２取付体１Ｂが回動可能に支持されるように構成された回動支持機構と、当該回動支持機構により第１取付体１Ａに対して第２取付体１Ｂが回動可能に支持されている状態で、第１取付体１Ａの爪部１３ｔに対して第２取付体１Ｂの爪係合部１７ｔが係合して回動支持機構による回動を阻止することにより、第１取付体１Ａに対して第２取付体１Ｂが既定の取付姿勢に保持されるように構成された回動阻止機構とを具備する。【選択図】  図３
2019067666.tif 000002
【特許請求の範囲】
【請求項１】
照明装置を被取付部に取り付ける取付具であって、
前記被取付部に装着される第１取付体と、前記照明装置に装着される第２取付体とを有し、
前記第１取付体および前記第２取付体は、
前記第１取付体の前記被取付部に沿った方向の一側にある部分に対する前記第２取付体の前記一側にある部分に対応する部分の係合により、当該係合部分を通過するとともに前記被取付部に沿った軸周りに、前前記第１取付体に対して記第２取付体が回動可能に支持されるように構成された回動支持機構と、
当該回動支持機構により前記第１取付体に対して前記第２取付体が回動可能に支持された状態で、前記第１取付体の前記被取付部に沿った方向の他側にある部分に対して、前記第２取付体の前記他側にある部分に対応する部分が離れる向きへの前記回動支持機構による回動を阻止することにより、前記第１取付体に対して前記第２取付体が既定の取付姿勢に保持されるように構成された回動阻止機構と、
を具備することを特徴とする照明装置用取付具。
【請求項２】
前記回動支持機構は、前記第１取付体の前記一側にある部分と前記第２取付体の前記一側にある部分に対応する前記部分との係合構造が係脱可能に構成される、
ことを特徴とする請求項１に記載の照明装置用取付具。
【請求項３】
前記係合構造は、前記第１取付体に対して前記第２取付体が前記一側において接近し前記他側において離間する態様で前記一側に向けて傾斜した姿勢とされたとき、前記第１取付体の前記一側にある部分に対して前記第２取付体の前記一側にある部分に対応する前記部分が前記一側に向けて傾斜した方向に向けて係脱可能となるように構成される、
ことを特徴とする請求項２に記載の照明装置用取付具。
【請求項４】
前記回動支持機構は、前記第１取付体と前記第２取付体のうちのいずれか一方に設けられるフック部と、前記第１取付体と前記第２取付体のうちの他方に設けられ、前記フック部が係脱可能に係合するフック係合部と、を有する、
ことを特徴とする請求項２又は３に記載の照明装置用取付具。
【請求項５】
前記フック部は、前記一側に向けて突出し、前記フック係合部に係合する被支持部と、該被支持部の先端から前記被支持部とは異なる角度で伸びる延長部とを有する、
ことを特徴とする請求項４に記載の照明装置用取付具。
【請求項６】
前記被支持部は、前記既定の取付姿勢において、前記被取付部に沿った方向に突出し、
前記延長部は、前記既定の取付姿勢において、前記被支持部から前記フック係合部が設けられる他方の前記取付体の側に傾斜する、
ことを特徴とする請求項５に記載の照明装置用取付具。
【請求項７】
前記回動阻止機構は、前記回動支持機構により前記第１取付体に対して前記第２取付体が回動可能に支持された状態で、前記第１取付体の前記他側にある部分に対して前記第２取付体の前記他側にある部分に対応する前記部分が係脱可能に構成される、
ことを特徴とする請求項１〜６のいずれか一項に記載の照明装置用取付具。
【請求項８】
前記回動阻止機構は、前記第１取付体と前記第２取付体のうちのいずれか一方に設けられる爪部と、前記第１取付体と前記第２取付体のうちの他方に設けられ、前記爪部が係脱可能に係合する爪係合部と、を有する、
ことを特徴とする請求項７に記載の照明装置用取付具。
【請求項９】
前記第１取付体は、前記被取付部に沿って配置され、前記被取付部に接する装着面を備えた板状の第１基盤部と、前記一側にある部分において、前記第１基盤部から前記既定の取付姿勢にある前記照明装置の側に向けて立ち上がるように延在する板状の第１一側立設部とを有し、
前記第２取付体は、前記照明装置に沿って配置され、前記照明装置に接する装着面を備えた板状の第２基盤部と、前記一側にある部分に対応する前記部分において、前記第２基盤部から前記既定の取付姿勢において前記被取付部の側に向けて立ち上がるように延在する板状の第２一側立設部とを有する、
ことを特徴とする請求項１〜８のいずれか一項に記載の照明装置用取付具。
【請求項１０】
前記第１取付体は、前記他側にある部分において、前記第１基盤部から前記既定の取付姿勢にある前記照明装置の側に向けて立ち上がるように延在する板状の第１他側立設部を有し、
前記第２取付体は、前記他側にある部分に対応する前記部分において、前記第２基盤部から前記既定の取付姿勢において前記被取付部の側に向けて立ち上がるように延在する板状の第２他側立設部を有する、
ことを特徴とする請求項９に記載の照明装置用取付具。
【請求項１１】
前記第１取付体の前記被取付部に対する装着部位は、前記被取付部の表面に沿って延在する装着面であり、該装着面が前記被取付部の表面に密接して固定された状態を維持する固定構造を備える、
ことを特徴とする請求項１〜１０のいずれか一項に記載の照明装置用取付具。
【請求項１２】
前記照明装置は、前記既定の取付姿勢において、前記被取付部の表面に沿った板状の装置形態を備える面発光型の照明装置である、
ことを特徴とする請求項１〜１１の何れか一項に記載の照明装置用取付具。
【発明の詳細な説明】
【技術分野】
【０００１】
本発明は照明装置用取付具に関する。
【背景技術】
【０００２】
従来、照明装置を天井や壁などに取り付ける場合には、照明装置の複数個所を天井材や壁材にねじなどの固定構造を用いて固定するようにしている。例えば、以下の特許文献１には、照明装置を天井材に設けた開口部に埋め込む形で取り付ける構造が開示されている。この構造では、天井材の開口部の両側縁部にそれぞれ器具取付金具２１が装着され、これらの器具取付金具２１に対して照明装置の両端部の近傍にある二箇所がそれぞれねじ止めにより固定される。
【先行技術文献】
【特許文献】
【０００３】
【特許文献１】特開２００１−８４８２８号公報
【発明の概要】
【発明が解決しようとする課題】
【０００４】
上記従来の照明装置の取り付け構造では、照明装置の設置時や取外時において、複数の固定箇所に対して別々に作業する必要があるために、他の固定箇所を手などで支えた状態で作業を行う必要がある。このため、作業が困難になるという問題点がある。
【０００５】
そこで、本発明は、照明装置の設置時や取外時における作業を容易に行うことができる取付構造を提供することを課題とする。
【課題を解決するための手段】
【０００６】
上記課題を解決するために、本発明の照明装置用取付具は、照明装置を被取付部に取り付ける取付具であって、前記被取付部に装着される第１取付体と、前記照明装置に装着される第２取付体とを有する。前記第１取付体および前記第２取付体は、前記第１取付体の前記被取付部に沿った方向の一側にある部分に対する前記第２取付体の前記一側にある部分に対応する部分の係合により、当該係合部分を通過するとともに前記被取付部に沿った軸周りに前記第１取付体に対して前記第２取付体が回動可能に支持されるように構成された回動支持機構と、当該回動支持機構により前記第１取付体に対して前記第２取付体が回動可能に支持された状態で、前記第１取付体の前記被取付部に沿った方向の他側にある部分に対して前記第２取付体の前記他側にある部分に対応する部分が離れる向きへの前記回動支持機構による回動を阻止することにより、前記第１取付体に対して前記第２取付体が既定の取付姿勢に保持されるように構成された回動阻止機構と、を具備する。
【０００７】
本発明において、前記回動支持機構は、前記第１取付体の前記一側にある部分と前記第２取付体の前記一側にある部分に対応する前記部分との係合構造が係脱可能に構成されていることが好ましい。これにより、前記第１取付体と前記第２取付体は互いに着脱可能に構成される。ここで、前記係合構造は、前記第１取付体に対して前記第２取付体が前記一側において接近し前記他側において離間する態様で前記一側に向けて傾斜した姿勢とされたとき、前記第１取付体の前記一側にある部分に対して前記第２取付体の前記一側にある部分に対応する前記部分が前記一側に向けて傾斜した方向に向けて係脱可能となるように構成されることが好ましい。また、前記回動支持機構は、当該回動支持機構の回動軸線に沿った方向の少なくとも二箇所以上に設けられることが望ましい。
【０００８】
本発明において、前記回動支持機構は、前記第１取付体と前記第２取付体のうちのいずれか一方に設けられるフック部と、前記第１取付体と前記第２取付体のうちの他方に設けられ、前記フック部が係脱可能に係合するフック係合部と、を有することが好ましい。この場合において、前記フック部は、前記一側に向けて突出し、前記フック係合部に係合する被支持部と、該被支持部の先端から前記被支持部とは異なる角度で伸びる延長部とを有することが好ましい。ここで、前記被支持部は、前記既定の取付姿勢において、前記被取付部に沿った方向に突出することが望ましい。また、前記延長部は、前記既定の取付姿勢において、前記被支持部から前記フック係合部が設けられる他方の前記取付体の側へ傾斜することが望ましい。この場合において、前記フック係合部は、前記フック部を受け入れて前記被支持部を孔内縁で支持可能な孔部であることが望ましい。
【０００９】
本発明において、前記第１取付体は、前記被取付部に沿って配置され、前記被取付部に接する装着面を備えた板状の第１基盤部と、前記一側にある部分において、前記第１基盤部から前記既定の取付姿勢にある前記照明装置の側に向けて立ち上がるように延在する板状の第１一側立設部とを有することが好ましい。また、前記第２取付体は、前記照明装置に沿って配置され、前記照明装置に接する装着面を備えた板状の第２基盤部と、前記一側にある部分に対応する前記部分において、前記第２基盤部から前記既定の取付姿勢において前記被取付部の側に向けて立ち上がるように延在する板状の第２一側立設部とを有することが好ましい。さらに、前記第１一側立設部と前記第２一側立設部のうちのいずれか一方には前記フック部（或いは、前記被支持部及び前記延長部）が形成され、前記第１一側立設部と前記第２一側立設部のうちの他方には前記フック係合部（或いは、前記孔部）が形成されることが望ましい。
【００１０】
本発明において、前記既定の取付姿勢における前記被取付部に沿った或る方向（例えば、前記第１一側立設部及び前記第２一側立設部の前記被取付部に沿った延長方向（幅Ｗの方向）、或いは、前記第１側方立設部及び前記第２側方立設部の前記被取付部に沿った延長方向（長さＬの方向））の形成範囲は、当該延長方向と同じ方向の前記照明装置の装置範囲の１／２以上であることが好ましい。また、上記形成範囲は、前記装置範囲の両端に設けられた、少なくとも前記照明装置の外周縁の厚み（Ｔ２）分の領域を残すように設定されることが望ましい。
【００１１】
本発明において、前記第１一側立設部と前記第２一側立設部のうちのいずれか一方に前記フック部が形成され、前記第１一側立設部と前記第２一側立設部のうちの他方に前記フック係合部が形成される場合には、前記既定の取付姿勢における前記第１一側立設部及び前記第２一側立設部の前記被取付部に沿った延長方向（幅Ｗ１２の方向）の形成範囲に対する前記フック部の形成領域（幅Ｗｓ）の割合は、１／３以上、３／４以下であることが好ましい。
【００１２】
本発明において、前記回動阻止機構は、前記回動支持機構により第１取付体に対して前記第２取付体が回動可能に支持された状態で、前記第１取付体の前記他側にある部分に対して前記第２取付体の前記他側にある部分に対応する前記部分が係脱可能に構成されることが好ましい。ここで、前記回動阻止機構は、上記回動支持機構の回動軸線に沿った方向の少なくとも二箇所以上に設けられることが望ましい。また、前記回動阻止機構は、前記第１取付体と前記第２取付体のうちのいずれか一方に設けられる爪部と、前記第１取付体と前記第２取付体のうちの他方に設けられ、前記爪部が係脱可能に係合する爪係合部と、を有することが好ましい。ここで、前記爪部と前記爪係合部は、弾性変形により係脱動作するように構成されることが好ましい。例えば、爪部が前記爪係合部に係合する方向に付勢され（押し付けられ）ていることが望ましい。また、前記爪部と前記爪係合部との係合が前記他側からの操作により解除可能に構成されることが望ましい。
【００１３】
本発明において、前記第１取付体は、前記被取付部に沿って配置され、前記被取付部に接する装着面を備えた板状の第１基盤部と、前記他側にある部分において前記第１基盤部から前記既定の取付姿勢にある前記照明装置の側に向けて立ち上がるように延在する板状の第１他側立設部とを有することが好ましい。また、前記第２取付体は、前記照明装置に沿って配置され、前記照明装置に接する装着面を備えた板状の第２基盤部と、前記他側にある部分に対応する前記部分において前記第２基盤部から前記既定の取付姿勢において前記被取付部の側に向けて立ち上がるように延在する板状の第２他側立設部とを有することが好ましい。さらに、前記第１他側立設部と前記第２他側立設部のうちのいずれか一方には前記爪部が形成され、前記第１他側立設部と前記第２他側立設部のうちの他方には前記爪係合部が形成されることが望ましい。
【００１４】
本発明において、前記回動支持機構は、前記回動支持機構により前記第１取付体に対して前記第２取付体が回動可能に支持された状態で、前記第１取付体に対する前記第２取付体の前記一側への移動範囲を規制する規制構造を備えることが好ましい。該規制構造は、前記第１一側立設部と前記第２一側立設部との当接により規制が生ずるように設けられることが望ましい。また、前記規制構造は、前記第１取付体における前記第１基盤部から前記第１一側立設部とは別に前記照明装置の側へ立ち上がるように延在し、前記第１一側立設部と交差する方向に形成された第１側方立設部の端縁部と、前記第２取付体における前記第２基盤部から前記第２一側立設部とは別に前記被取付部の側へ立ち上がるように延在し、前記第２一側立設部と交差する方向に形成された第２側方立設部の端縁部との当接により規制が生ずるように設けられることが望ましい。さらに、前記規制構造として、上記の二組の構造が共に設けられることがさらに望ましい。
【００１５】
本発明において、前記回動阻止機構は、前記回動支持機構により前記第１取付体に対して前記第２取付体が回動可能に支持された状態で、前記第１取付体の前記他側にある部分に対して前記第２取付体の前記他側にある部分に対応する前記部分が係合したときに、前記第１取付体の前記他側にある部分に対する前記第２取付体の前記他側にある部分に対応する前記部分が被取付部に沿って離反する向きへの移動範囲を規制する規制構造を備えることが好ましい。この規制構造は、前記第１取付体における前記第１基盤部から前記第１他側立設部とは別に前記既定の取付姿勢にある前記照明装置の側へ立ち上がるように延在し、前記第１他側立設部と交差する方向に形成された第１側方立設部の端縁部と、前記第２取付体における前記第２基盤部から前記第２他側立設部とは別に前記被取付部の側へ立ち上がるように延在し、前記第２他側立設部と交差する方向に形成された第２側方立設部の端縁部との当接により規制が生ずるように設けられることが望ましい。
【００１６】
本発明において、前記第１取付体の前記被取付部に対する装着部位は、前記被取付部の表面に沿って延在する装着面であり、該装着面が前記被取付部の表面に密接して固定された状態を維持する固定構造を備えることが好ましい。なお、前記第２取付体の前記照明装置に対する装着部位も、前記照明装置の背面に沿って延在する装着面であり、該装着面が前記照明装置の背面に密接して固定された状態を維持する固定構造を備えることが好ましい。
【００１７】
本発明において、前記照明装置は、面発光型の照明装置であることが好ましい。特に、前記照明装置は、前記被取付部の表面に沿った板状（平行平板状）の装置形態を備えることが望ましい。このとき、前記照明装置の上記既定の取付姿勢は、前記被取付部の表面に平行に配置された姿勢であることが望ましい。
【発明の効果】
【００１８】
この発明によれば、照明装置の設置時や取外時における作業を容易に行うことができる取付構造を提供することができる。
【図面の簡単な説明】
【００１９】
【図１】本発明に係る照明装置用取付具の実施形態を照明装置の上方に取り付けた状態とした様子を示す斜視図である。
【図２】図１に示した構造を斜め下方から見た様子を示す斜視図である。
【図３】図１に示した構造の第１取付体を第２取付体から離反させた様子を示す斜視図である。
【図４】照明装置用取付具の実施形態の第１取付体と第２取付体を分離した構造を斜め下方から見た様子を示す分解斜視図である。
【図５】図３に示す構造を異なる向きから見た様子を示す斜視図である。
【図６】照明装置を取り付ける手順の第１段階を模式的に示す説明断面図である。
【図７】同手順の第２段階を模式的に示す説明断面図である。
【図８】同手順の第３段階を模式的に示す説明断面図である。
【図９】第１他側立設部における爪部の細部構造を示す拡大部分斜視図である。
【図１０】回動阻止機構における第１他側立設部と第２他側立設部の係合態様、及び、第１側方立設部と第２側方立設部の係合態様、を説明するための拡大部分斜視図である。
【発明を実施するための形態】
【００２０】
次に、添付図面を参照して本発明の実施形態について詳細に説明する。最初に、図１〜図５を参照して、本発明に係る照明装置用取付具及びこれを用いる照明装置の概略構造について説明する。
【００２１】
本実施形態の照明装置用取付具１は、図示しない天井や壁に設けられる被取付部に装着される第１取付体１Ａと、この第１取付体１Ａに対して着脱可能に構成された第２取付体１Ｂとを具備する。第２取付体１Ｂは、照明装置２に装着される。照明装置２は、図示例の場合、面発光型の照明装置であり、全体として板状（パネル状、或いは、平行平板状）の装置形態を備えている。本実施形態において、照明装置２は、上記第２取付体１Ｂが装着される背面２１ａを備える背面部材２１と、この背面部材２１に対して接続固定された透光性素材からなる発光面２２ａを構成する発光パネル（発光部材）２２とを有する。背面部材２１と発光パネル２２の内部には、図示しないＬＥＤ（発光ダイオード）などの光源と、導光板や反射板などからなる導光構造とが配置される。背面部材２１の外周部には、上記背面２１ａの外周を取り巻くように凹溝２１ｂが設けられ、この凹溝２１ｂの外周をさらに取り巻くように枠状に形成された外枠部２１ｃが設けられる。ここで、背面部材２１は一体の板状体で形成される。背面部材２１において、背面２１ａの外周に凹溝２１ｂと外枠部２１ｃを一体に構成することにより、薄型形状の照明装置２の剛性が高められる。また、発光パネル２２には、矩形状の平坦な発光面２２ａと、この発光面２２ａの外周縁において側方へ向き、上記外枠部２１ｃの外側面に連続する側面部２２ｂとが設けられる。
【００２２】
（第１取付体）
第１取付体１Ａは、天井材や壁材などの被取付部に装着される装着面１１ａを備えた板状の第１基盤部１１と、この第１基盤部１１の上記被取付部に沿った方向の一側にある部分である外周縁１１ｂから立ち上がるように延在する帯状の第１一側立設部１２と、上記第１基盤部１１から上記被取付部に沿った方向の他側にある部分である外周縁１１ｃから立ち上がるように延在する帯状の第１他側立設部１３と、上記第１基盤部１１の側方の外周縁１１ｄ，１１ｄから立ち上がるように延在する帯状の第１側方立設部１４，１４とを一体に備えている。第１取付体１Ａは、一体のステンレス鋼などからなる板材により構成されることが好ましい。上記第１一側立設部１２、第１他側立設部１３、及び、第１側方立設部１４，１４は、第１基盤部１１に対して相互に同じ高さを有するように構成されることが好ましい。図１に示すように既定の取付姿勢にあるときの取付具１の厚みＴ１は第１取付体１Ａ及び第２取付体１Ｂの上記高さとそれらの取付構造により定まる。取付具１の厚みＴ１は、後述する照明装置２の取外時に行う爪部１３ｔと爪係合部１７ｔの係合の解除作業時において被取付部と照明装置２との間に手指を挿入可能とするために、７ｍｍ以上であることが好ましく、照明装置２を被取付部になるべく近づけ、被取付部の表面の陰となる領域を低減するために、１５ｍｍ以下であることが望ましい。また、設置時の外観から、上記厚みＴ１は照明装置２の厚みＴ２以下であることが望ましい。なお、本実施形態において、既定の取付姿勢とは、被取付部に対する取付具１及び照明装置２の正規の取付姿勢を言い、取付具１のみについても、照明装置２のみについても用いる。
【００２３】
第１一側立設部１２にはフック係合部１２ｓが形成される。このフック係合部１２ｓは、被取付部に沿った第１一側立設部１２の延長方向と同じ方向に沿って延長された形状（帯状）の孔部からなる。図示例の場合、上記延長方向に複数（２つ）のフック係合部１２ｓが配列されている。フック係合部１２ｓは、後述するフック部（突片部）１６ｓに対して係合する内縁を備える孔部を構成し、フック部１６ｓとこのフック係合部１２ｓは、第１取付体１Ａに対して第２取付体１Ｂを被取付部に沿った軸線周りに回動可能に支持する回動支持機構を構成する。この回動支持機構の回動軸線は、第１一側立設部１２のフック係合部１２ｓにより第２一側立設部１６のフック部１６ｓが支持される部位（後述する被支持部１６ｓａ）に沿って上記延長方向に伸びる。上記の複数組（二組）のフック部１６ｓとフック係合部１２ｓは、当該回動軸線に沿って配列される。
【００２４】
第１他側立設部１３の本体１３ａの内面上には、上記方向に沿って延長された帯状の係合片１３ｕがリベットなどの固定構造１３ｖにより取り付けられる。この係合片１３ｕは、図９に示すように、第１他側立設部１３の延長方向（図示左右方向）に見て固定構造１３ｖの両側に一対のアーム部１３ｕａを備え、各アーム部１３ｕａの両先端は、第１他側立設部１３の外面側に屈折され、第１他側立設部１３の本体部１３ａに設けられた開口部１３ｓを介して第１他側立設部１３から外側へ突出する爪部１３ｔを構成する。この構造により、爪部１３ｔは、係合片１３ｕの弾性変形により、開口部１３ｓに対して出没可能に設けられる。図示の状態において、爪部１３ｔはアーム部１３ｕａの弾性力により突出方向に付勢された状態にある。本実施形態において、複数（２つ）の爪部１３ｔが被取付部に沿った第１他側立設部１３の延長方向に沿って配列される。
【００２５】
ここで、係合片１３ｕの中央部には、上記アーム部１３ｕａよりも図示下方へ突出した凸部１３ｕｂが設けられ、この凸部１３ｕｂは、上記第１基盤部１１の内面に当接している。凸部１３ｕｂは上記延長方向に沿った或る程度の範囲内で第１基盤部１１の内面に沿って当接するため、固定構造１３ｖとともに固定構造１３ｖの軸線周りの固定手段として機能し、上記アーム部１３ｕａが回動することを防止する。一方、アーム部１３ｕａは上記第１基盤部１１の内面から離反しており、上記開口部１３ｓの開口縁との間にも一定の間隙を備えている。このため、アーム部１３ｕａが第１取付体１Ａの他の部分に干渉することが防止され、それにより、アーム部１３ｕａの弾性変形に基づく爪部１３ｔの安定した動作が保証される。
【００２６】
爪部１３ｔの先端には、第１他側立設部１３の先端縁側に大きな範囲で面取形状や丸め形状等からなる傾斜縁部１３ｔａが設けられる。この傾斜縁部１３ｔａは、照明装置２を被取付部３に取り付ける過程において、爪部１３ｔが爪係合部１７ｔに係合する際に、第２他側立設部１７の先端縁部に当接することにより、一時的に爪部１３ｔを第２他側立設部１７から内側へ退避させるために設けられる。一方、爪部１３ｔの先端の上記とは反対側の、第１他側立設部１３の図示下縁（基部）側にある角部には、上記傾斜縁部１３ｔａより小さいな寸法の面取形状や丸め形状等からなる傾斜縁部１３ｔｂが設けられる。この傾斜縁部１３ｔｂは、照明装置２の取外時において、爪部１３ｔを手指等により押し込んだ際に、第２他側立設部１７の爪係合部１７ｔの内縁部が当接することにより、一時的に爪部１３ｔを第２他側立設部１７から内側へ退避できるようにするために設けられる。傾斜縁部１３ｔｂが傾斜縁部１３ｔａより小さく形成されている理由は、既定の取付姿勢においては爪部１３ｔと爪係合部１７ｔの係合状態が確実に保持されるようにするとともに、爪部１３ｔが手指等により或る程度押し込まれたときにのみ、爪部１３ｔと爪係合部１７ｔとの係合状態が容易に解除できるようにするためである。
【００２７】
第１側方立設部１４，１４は、上記第１一側立設部１２及び第１他側立設部１３とは異なる第１基盤部１１の他の辺（外周縁１１ｄ上）に設けられる。図示例の場合、第１側方立設部１４，１４は、上記第１一側立設部１２及び第１他側立設部１３とは分離している。第１側方立設部１４，１４は、上記第１一側立設部１２及び第１他側立設部１３の端縁部にそれぞれ隣接する端縁部において、上記第１一側立設部１２及び第１他側立設部１３の延長方向に沿った方向（外側）に屈折することにより構成されたストッパ部１４ｍ、１４ｎを備えている。
【００２８】
本実施形態の場合には、第１基盤部１１は矩形状の平面形状を備えている。具体的には、第１基盤部１１は長方形である。図示例の場合、第１基盤部１１の長手方向の両側（上記一側及び他側）に、第１一側立設部１２及び第１他側立設部１３が設けられる。これにより、回動支持機構の回動半径を大きくすることができ、設置作業及び取外作業を容易に行うことが可能になる。ただし、第１一側立設部１２及び第１他側立設部１３は、上記長手方向と直交する方向の両側に設けられても構わない。
【００２９】
第１取付体１Ａの第１基盤部１１には、天井材や壁材などの被取付部に取り付けたり、これらの背後に設置される梁材に固定したりするためのねじ穴や固定ねじ等の固定（装着）構造１１ｅ（固定ねじ等は図示を省略している。）が形成されている。第１取付体１Ａを被取付部に装着する際は、上記装着面１１ａを被取付部の表面に密接させた状態で固定する。この装着面１１ａ及び後述する被取付部３の表面は図示例では共に平坦面である。また、照明装置２の電源や点灯回路などを別途被取付部の側に配置し、これらと照明装置２とを配線コード等の接続部材を介して接続する場合には、第１基盤部１１に当該接続部材を通過させるための開口部１１ｆを設ける。また、第１取付体１Ａ（第１基盤部１１）には、ワイヤ等の吊り下げ部材１ｗのための係止部１１ｇが形成される。なお、第１取付体１Ａ（第１基盤部１１）には、被取付部に対して、第１取付部１Ａを被取付部に沿った方向に移動可能な態様で固定できるように、長孔などの被取付部に沿った位置を調整可能な固定構造を設けることが好ましい。図示例では、第１基盤部１１に形成された固定構造１１ｅには、相互に直交する方向に伸びる二種類の長孔を一側及び他側にそれぞれ含むことにより、図示しない固定ねじなどを用いて、第１取付体１Ａの装着位置を被取付部に沿った平面方向に調整可能となるように構成される。固定構造１１ｅは、図示例のように、一側及び他側にそれぞれ幅方向に２箇所ずつ設けられた合計４箇所以上に設けることが好ましい。
【００３０】
（第２取付体）
第２取付体１Ｂは、照明装置２の背面部材２１に装着される装着面１５ａを備えた板状の第２基盤部１５と、この第２基盤部１５の被取付部に沿った方向の一側にある部分である外周縁１５ｂから立ち上がるように延在する帯状の第２一側立設部１６と、上記第２基盤部１５から上記被取付部に沿った方向の他側にある部分である外周縁１５ｃから立ち上がるように延在する帯状の第２他側立設部１７と、上記第２基盤部１５の側方の外周縁１５ｄ，１５ｄから立ち上がるように延在する帯状の第２側方立設部１８，１８とを一体に備えている。第２取付体１Ｂは、一体のステンレス鋼などからなる板材により構成されることが好ましい。上記第２一側立設部１６を除いて、第２他側立設部１７、及び、第２側方立設部１８，１８は、第１基盤部１１に対して相互に同じ高さを有するように構成されることが好ましい。
【００３１】
第２取付体１Ｂの第２基盤部１５には、照明装置２の背面部材２１に取り付けるためのねじ穴や固定ねじ等の固定（装着）構造１５ｅが形成されている。第２取付体１Ｂを照明装置２に装着する際は、上記装着面１５ａを照明装置２の背面部材２１の表面である背面２１ａに密接させた状態で固定する。この装着面１５ａ及び背面２１ａは図示例では共に平坦面である。また、第２基盤部１５には、軽量化のための開口部１５ｆを設けてもよい。図示例では、第２取付体１Ｂによる照明装置２の取付剛性の低下を抑制するために、開口部１５ｆは、上記固定構造１５ｅである固定ねじによる固定箇所（矩形の角部に相当する４か所）の内側に配置される矩形領域として構成される。開口部１５ｆの開口縁には係止部１５ｇが形成される。また、第２基板部１５は、図５に示す照明装置２の配線コード２３を引き出すためのコード用開口部１５ｆ′を備えている。
【００３２】
第２一側立設部１６には、当該第２一側立設部１６の上記延長方向と同じ方向に沿って延長された形状（帯状）のフック部（突片部）１６ｓが形成される。図示例の場合、上記方向に複数（２つ）のフック部１６ｓが配列される。フック部１６ｓは舌片状に形成され、第２基盤部１５の平面形状の外側へ向けて突出するように形成される。フック部１６ｓは、第２基盤部１５の外周縁１５ｂから立ち上がる第２一側立設部１６の基部１６ａから第２基盤部１５の装着面１５ａに沿った方向（外側）に延在する被支持部１６ｓａと、この被支持部１６ｓａに対して屈折し、上記被支持部１６ｓａとは異なる方向に延在する延長部１６ｓｂとを有する。この場合、回動支持機構の回動軸線は、上記フック係合部１２ｓの内縁部により被支持部１６ｓａが支持される部位に沿って設けられる。図示例では、前述のように複数のフック部１６ｓは回動軸線に沿った直線上に配列される。
【００３３】
第２他側立設部１７には、上記爪部１３ｔに対応する位置に爪係合部１７ｔが設けられる。爪係合部１７ｔは上記爪部１３ｔに係脱可能に構成されるものであればいかなるもの（例えば、第２他側立設部１７の表面（内面）に形成される係合凹部）であってもよいが、図示例では、第２他側立設部１７に設けられた孔部により構成される。第２他側立設部１７は、第２側方立設部１８，１８の延長方向（第２基盤部１５の長手方向）に沿った方向（外側）に屈折することにより構成され、被取付部の側に向けて外側へ開いた形状となる傾斜縁部１７ｐを先端縁部に備えている。この傾斜縁部１７ｐは、設置時において、上記第１他側立設部１３の先端縁部に当接して、第１他側立設部１３と第２他側立設部１７を相互に案内し、既定の取付姿勢において、第１他側立設部１３と第２他側立設部１７が内外に隣接（当接し）、相互に重なるように配置する。ここで、上記傾斜縁部１７ｐの代わりに、或いは、それとともに、第１他側立設部１３の先端縁部に内側へ開いた形状となる傾斜縁部を設けてもよい。
【００３４】
第２側方立設部１８，１８は、上記第２一側立設部１６及び第２他側立設部１７とは異なる第２基盤部１５の他の辺（外周縁１５ｄ上）に設けられる。図示例の場合、第２側方立設部１８，１８は、上記第２一側立設部１６及び第２他側立設部１７とは分離している。第２側方立設部１８，１８は、上記第２一側立設部１６及び第２他側立設部１７の端縁部にそれぞれ隣接する端縁部において、上記ストッパ部１４ｍ、１４ｎと対面可能な端縁部１８ｈ，１８ｉを備えている。また、第２側方立設部１８，１８は、第２一側立設部１６及び第２他側立設部１７の延長方向に沿った方向（外側）に屈折することにより構成され、被取付部の側に向けて外側へ開いた形状となる傾斜縁部１８ｐ，１８ｐを先端縁部に備えている。この傾斜縁部１８ｐは、設置時において、上記第１側方立設部１４の先端縁部に当接して、第１側方立設部１４と第２側方立設部１８を相互に案内し、既定の取付姿勢にする。ここで、上記傾斜縁部１８ｐの代わりに、或いは、それとともに、第１側方立設部１４の先端縁部に内側へ開いた形状となる傾斜縁部を設けてもよい。
【００３５】
本実施形態の場合には、第２基盤部１５は矩形状の平面形状を備えている。具体的には、第２基盤部１５は長方形である。図示例の場合、第２基盤部１５の長手方向の両側（上記一側及び他側）に、第２一側立設部１６及び第２他側立設部１７が設けられる。これにより、第１取付体１Ａと第２取付体１Ｂを対応する形状とすることができる。ただし、第２一側立設部１６及び第２他側立設部１７は、上記第１取付体１Ａと対応する態様であれば、上記長手方向と直交する方向の両側に設けられても構わない。
【００３６】
（使用方法）
次に、図６〜図８を参照して、本実施形態の照明装置用取付具１を用いた照明装置２の取り付け方法（照明装置２を被取付部３に取り付ける過程）を説明する。なお、本実施形態の照明装置用取付具１は、照明装置２を壁（内壁、外壁）に取り付けることも可能であるが、図示例では、照明装置２を天井に取り付ける場合について説明する。
【００３７】
図６に示すように、天井材（石膏ボードなどからなるパネル材やＣチャンネル材）などの被取付部３の表面に第１取付体１Ａの装着面１１ａを当接させ、上記固定構造１１ｅ（孔や長孔と固定ねじなど）を用いて、第１取付体１Ａを被取付部３に装着する。このとき、照明装置２を点灯させるために電源や点灯回路などの付属品２ｘを必要とする場合には、開口部１１ｆを通して付属品２ｘの配線コード２４の先端のコネクタ２４ａと照明装置２の配線コード２３の先端のコネクタ２３ａとを接続する。ただし、付属品２ｘを必要としない場合でも、商用電源から引き出したコネクタとの接続は開口部１１ｆを介して行われる。サイズが適合すれば、上記付属品２ｘを第１取付体１Ａと第２取付体１Ｂの間の空間（箱状構造の内部）に収容してもよい。
【００３８】
なお、照明装置２の取付作業を開始するに当たり、最初に上記係止部１１ｇと１５ｇに係止したワイヤ等の吊り下げ部材１ｗを用いて第２取付体１Ｂを第１取付体１Ａに吊り下げた状態とする。なお、この吊り下げ作業は、図７に示すフック部１６ｓをフック係合部１２ｓに係合させる作業の後に行ってもよい。いずれの場合でも、この吊り下げ構造（１ｗ、１１ｇ、１５ｇ）により、それ以後の作業時において照明装置２を誤って落下させるなどの事故を防止することができる。
【００３９】
次に、図７に示すように、第１取付体１Ａの上記第１一側立設部１２のフック係合部１２ｓに対して、第２取付体１Ｂの上記第２一側立設部１６のフック部１６ｓを係合させる。この作業は、第１取付体１Ａ（被取付部３）の上記一側にある部分に対して、照明装置２（第２取付体１Ｂ）の上記一側にある部分に対応する部分を、図中矢印で示す方向Ｆに沿って移動させることによって、容易に行うことができる。ここで、第２取付体１Ｂ（照明装置２）が上記方向Ｆに沿って第１取付体１Ａ（被取付部）に対して傾斜した姿勢で、上記方向Ｆに沿って移動することにより、フック部１６ｓをフック係合部１２ｓに対して係合させることができる。フック部１６ｓがフック係合部１２ｓに挿入されると、フック部１６ｓの被支持部１６ｓａがフック係合部１２ｓの孔部の開口の内縁部により支持されるとともに、フック部１６ｓがフック係合部１２ｓの孔部内において十分な寸法余裕を備えることにより、第１取付体１Ａに対して第２取付体１Ｂが被取付部３に沿った方向（図示例では、第１一側立設部１２の延長方向）に沿った軸線周りに回動可能に支持された状態とされる。
【００４０】
換言すれば、フック部１６ｓとフック係合部１２ｓとの係合による支持状態が維持されたまま、第１取付体１Ａに対して第２取付体１Ｂが上記軸線周りに回動可能とされる。ここで、フック部１６ｓとフック係合部１２ｓは、本発明に係る回動支持機構を構成する。本実施形態において、フック部１６ｓとフック係合部１２ｓは上記回動支持機構の回動軸線（第１一側立設部１２及び第２一側立設部１６の延長方向）に沿って複数（２つ）ずつ配置されるため、上記支持部位も複数（２つ）となる。上記回動支持機構の回動可能な角度範囲は、本実施形態の場合には、上記既定の取付姿勢のときの角度φ＝０度とすれば、φ＝０〜６０度とφ＝０〜５度との範囲（上記既定の取付姿勢に対して５度以上６０度以下の回動可能な角度範囲）の回動とすることが望ましいが、上記既定の取付姿勢に対して１０度以上４５度以下の回動可能な角度範囲とすることが好ましく、上記既定の取付姿勢に対して１０度以上３０度以下の回動可能な角度範囲であればさらに好ましい。
【００４１】
フック部１６ｓはフック係合部１２ｓに挿入された状態で係合するが、被支持部１６ｓａの先に屈折した形状の延長部１６ｓｂが設けられることにより、フック部１６ｓとフック係合部１２ｓとの係合状態の脱落を抑制することができる。特に、図示例のように、延長部１６ｓｂが被支持部１６ｓａに対して被取付部３の側に屈折する向きに傾斜することが好ましい。特に、図示例のように天井に照明装置２を取り付ける際には、照明装置２に装着された第２取付体１Ｂを図７の矢印に示す方向Ｆに斜め上方へ押し上げるように移動させることが必要になるため、施工者にとって苦しい作業となる。本実施形態では、延長部１６ｓｂがその移動方向に沿った向きに屈折していることから、フック部１６ｓとフック係合部１２ｓが係合しやすくなるため、上記作業を特に容易に行うことができる。このとき、上記角度範囲φが延長部１６ｓｂがフック係合部１２ｓに係止されることにより制限されていてもよい。このとき、延長部１６ｓｂとフック係合部１２ｓの上部内縁との係合により、第１取付体１Ａ（被取付部）に対する第２取付体１Ｂ（照明装置２）の係合状態が維持されるように構成されることが望ましい。
【００４２】
第１一側立設部１６の基部１６ａに対するフック部１６ｓの上記被支持部１６ｓａの反り返り角度θ１（図６参照）は、９０度以上、１００度以下であることが好ましい。これにより、被支持部１６ｓａの突出角度が被取付部３にほぼ沿った角度となるため、安定した支持状態を得ることができるとともに、係合作業を容易化できる。また、フック部１６ｓの基部１６ａに対する上記延長部１６ｓｂの反り返り角度θ２（図６参照）は、９０度未満、５０度以上であることが好ましい。さらに、上記被支持部１６ｓａと上記延長部１６ｓｂの間の角度差θ１−θ２は、０度より大きく、４０度未満であることが好ましい。これにより、係合作業の容易性の確保と、係合部分が脱落することの抑制又は防止とを両立できる。
【００４３】
図７に示す状態では、第２取付体１Ｂ（照明装置２）を第１取付体１Ａ（被取付部３）に対して図示矢印に向かう方向（斜め上方）Ｆに沿って押し付けたとき、第２一側立設部１６の基部１６ａが第１一側立設部１２の先端縁部（フック係合部１２ｓよりも被取付部３から離間した部分）に当接し、それ以上、第２取付体１Ｂが第１取付体１Ａに対して図示矢印の方向に移動しないように規制される。このように構成すると、係合作業時に作業者はフック部１６ｓとフック係合部１２ｓとの係合深さに配慮する必要がなくなり、図示矢印の方向Ｆに沿って押し付けることによって第２取付体１Ｂ（照明装置２）を第１取付体１Ａ（被取付部３）に対して位置決めできるため、作業をさらに容易化できる。この位置決め状態において、第２一側立設部１６は、第１一側立設部１２の内側に隣接（当接）して配置される。
【００４４】
特に、本実施形態の場合には、第１取付体１Ａの第１側方立設部１４，１４の上記一側の端縁部に外側へ折り返した形状のストッパ部１４ｍ、１４ｍが一体に設けられている。そして、上記係合作業時において、第２取付体（照明装置２）を第１取付体１Ａ（被取付部３）に対して図示矢印の方向に押し付けたとき、図４に示す第２取付体１Ｂの第２側方立設部１８，１８の端縁部１８ｈ、１８ｈが上記ストッパ部１４ｍ、１４ｍに当接するように構成される。これにより、上記作業時において、端縁部１８ｈ、１８ｈが上記ストッパ部１４ｍ、１４ｍに当接することにより、第２取付体１Ｂ（照明装置２）を第１取付体１Ａ（被取付部３）に対して位置決めできる。このとき、端縁部１８ｈ、１８ｈは、第２側方立設部１８，１８の延長方向の端部であるために十分な剛性を有し、ストッパ部１４ｍ、１４ｍは、折り返し片の基部に相当するためにやはり十分な剛性を有するので、作業者が或る程度過剰な押し付け力をこれらに与えても、位置決め精度が低下することはほとんどない。したがって、第２一側立設部１６のフック部１６ｓの押し付けによりフック係合部１２ｓを備える第１一側立設部１２が倒れる方向に変形することが防止される。
【００４５】
図７において、上記のように係合した状態で、吊り下げ部材１ｗにより第２取付体１Ｂが吊り下げられていれば、フック部１６ｓ（被支持部１６ｓａ）がフック係合部１２ｓに支持されていることにより、これらの係合状態は維持され、第２取付体１Ｂ（照明装置２）は落下しない。特に、被支持部１６ｓａの上記反り返り角θ１が上記角度範囲に設定されることにより、係合作業の容易性を確保しつつ、係合状態が確実に維持できる。
【００４６】
次に、図８に示すように、第２取付体１Ｂ（照明装置２）を上記フック部１６ｓとフック係合部１２ｓの係合箇所を中心として図示の方向Ｒに回動させ、第２取付体１Ｂ（照明装置２）の上記他側にある部分を上方へ移動させる。このとき、上記第２側方立設部１８，１８には上記傾斜縁部１８ｐ、１８ｐが形成されているため、これらの傾斜縁部１８ｐが上記第１側方立設部１４に摺接しながら案内されることにより、第２側方立設部１８がスムーズに第１側方立設部１４の外側に隣接（当接）した状態に配置される。ここで、第１側方立設部１４，１４が第２側方立設部１８，１８によって幅方向に弾性的に挟持される態様とすれば、既定の取付姿勢における幅方向のガタを防止できる。
【００４７】
また、上記第２他側立設部１７にも上記傾斜縁部１７ｐが形成されているため、傾斜縁部１７ｐが第１他側立設部１３に摺接しながら案内されることにより、第２他側立設部１７がスムーズに第１他側立設部１３の外側に隣接（当接）した状態に配置される。ここで、第１他側立設部１３の外面が第２他側立設部１７の内面により弾性的に圧迫されるように構成すれば、既定の取付姿勢における長さ方向のガタを防止できる。ただし、本実施形態では、第１一側立設部１２の内側に第２一側立設部１６が配置され、第１他側立設部１３の外側に第２他側立設部１７が配置されるため、別の位置決め手段、例えば、上記ストッパ部１４ｎと端縁部１８ｉにより、第１他側立設部１３と第２他側立設部１７が弾性的に相互に圧迫されるようにする必要がある。このとき、第１一側立設部１２と第２一側立設部１６も弾性的に圧迫されるようにしてもよい。
【００４８】
上記のようにして、第２他側立設部１７が第１他側立設部１３の外側に隣接（当接）した状態に配置されると、途中で第２他側立設部１７の先端縁部に押し戻された上記爪部１３ｔが再び突出して開口部である爪係合部１７ｔに嵌合することにより、上記他側において、第２取付体１Ｂが第１取付体１Ａに係合される。このとき、図１０に示すように、矢印Ａ１で示す嵌合動作により、第１側方立設部１４の他側にある折り返し状のストッパ部１４ｎが、第２側方立設部１８，１８の上記他側にある端縁部１８ｉ，１８ｉと対面する。これにより、第２取付体１Ｂが第１取付体１Ａに対して上記他側に移動しようとすると、端縁部１８ｉがストッパ部１４ｎに当接するため、それ以上の上記他側への移動が規制される。ここで、上記他側への移動は、矢印Ａ２で示す嵌合動作により相互に対面する第１他側立設部１３に対して第２他側立設部１７が離れる向きへの移動である。したがって、この移動規制により、第２他側立設部１７が第１他側立設部１３から離れることが防止されるため、上記爪部１３ｔと上記爪係合部１７ｔとの係合状態が解除されることも回避できる。なお、第１側方立設部１４のストッパ部１４ｎの剛性、並びに、第２側方立設部１８の端縁部１８ｉの剛性が十分である点は、先の上記一側におけるストッパ部１４ｍと端縁部１８ｈの場合と同様である。
【００４９】
一方、設置時とは逆に、照明装置２を被取付部３から取り外す場合には、まず、図８の状態において、手指等により爪部１３ｔを押し込みながら、第２取付体１Ｂ（照明装置２）を下方に押し下げることにより、爪部１３ｔが退避し、爪係合部１７ｔとの係合が外れるため、図７に示す状態に戻すことができる。このとき、傾斜縁部１３ｔｂが爪係合部１７の内縁に当接することによって爪部１３ｔがスムーズに退避する。
【００５０】
その後、図７に示す状態で、第２取付体１Ｂ（照明装置２）を図示矢印とは逆向きに移動させることによって、上記フック部１６ｓを上記フック係合部１２ｓから抜き出し、図６に示す状態に移行させることができる。ここで、図７に示す状態で吊り下げ部材１ｗを取り去った後に、フック部１６ｓとフック係合部１２ｓの係合を解除してもよい。
【００５１】
（作用効果）
以上説明した本実施形態によれば、以下の効果を奏する。まず、被取付部３に装着された第１取付体１Ａの被取付部３に沿った方向の一側にある部分に、照明装置２に装着された第２取付体１Ｂの当該一側にある部分に対応する部分を係合させることにより構成される回動支持機構により、第１取付体１Ａ（被取付部３）に対して第２取付体１Ｂ（照明装置２）を回動可能に支持することができる。これにより、係合状態で第２取付体１Ｂ（照明装置２）を回動させることができるため、取付作業を容易化できる。
【００５２】
また、上記の係合状態で、第１取付体１Ａの被取付部３に沿った上記方向の他側にある部分に、第２取付体１Ｂの当該他側にある部分に対応する部分を係合させることにより構成される回動阻止機構により、第１取付体１Ａ（被取付部３）に対する第２取付体１Ｂ（照明装置２）の回動を阻止することができる。これにより、第１取付体１Ａ（被取付部３）に対して第２取付体１Ｂ（照明装置２）を取り付け、既定の取付姿勢で固定することができる。さらに、上記の回動支持機構に関する係合作業の後には、被取付部３に沿った方向の軸周りに回動させた後に回動阻止機構により回動を阻止するだけでよいため、照明装置２を被取付部３に沿った方向に移動させる必要がなくなることにより、複数の照明装置２を密接した状態で配列させるなどの設置態様でも容易に施工できる。
【００５３】
本実施形態では、第１取付体１Ａの上記一側にある部分と、第２取付体１Ｂの上記一側にある部分に対応する部分とが係脱可能に構成されていることにより、被取付部３に装着された第１取付体１Ａに対して、照明装置２に装着された第２取付体１Ｂを着脱可能に構成できる。特に、回動支持機構において、第１取付体１Ａの上記一側にある部分と、第２取付体１Ｂの上記一側にある部分に対応する部分とのうちのいずれか一方がフック部１６ｓであり、他方がフック係合部１２ｓであることにより、上記のような係脱可能な構造を、簡易かつ低コストで構成することができるとともに、係脱作業を容易に行うことができる。また、図７に示すように、傾斜した方向Ｆに沿って回動支持機構が係脱可能であり、さらに第２取付体１Ｂ（照明装置２）が上記方向Ｆに沿った傾斜姿勢で回動可能に支持されることにより、設置作業がさらに容易化されるとともに、隣接する位置に別の照明装置を設置されていることによる支障も生じない。
【００５４】
ここで、回動支持機構は、上記フック部１６ｓとフック係合部１２ｓからなる図示の構成に限らず、例えば、第１取付体１Ａと第２取付体１Ｂの少なくとも一方に設けられた軸部と、他方に設けられ、当該軸部に対して回動可能に係合する係合部とからなる枢軸構造で構成されていてもよい。この場合でも、係合部が切り欠き部を備えることなどにより上記軸部に対して係脱可能に構成されることが好ましい。また、設置部の側方に余裕があれば、上記軸部に対して上記係合部を軸線方向に挿脱可能となるように構成してもよい。このように、回動支持機構が枢軸構造により構成されることにより、回動軸線を実質的に固定できるため、第１取付体１Ａ（被取付部３）に対する第２取付体１Ｂ（照明装置２）の回動状態を安定させることができる。また、フック部１６ｓは、延長部１６ｓｂを上記反り返り角度θが９０度を超えて照明装置２側に折れ曲げた形状とすることにより、全体としてＵ字状の形状としてもよい。
【００５５】
また、第１取付体１Ａは、被取付部３に沿って配置され、被取付部３に接する装着面１１ａを備えた板状の第１基盤部１１と、被取付部３に沿った方向の一側にある部分において第１基盤部１１から図８に示す既定の取付姿勢にある照明装置２の側に向けて立ち上がるように延在する板状の第１一側立設部１２とを有する。また、第２取付体１Ｂは、照明装置２に沿って配置され、照明装置２に接する装着面１５ａを備えた板状の第２基盤部１５と、上記一側にある部分に対応する部分において第２基板部１５から上記既定の取付姿勢において被取付部３の側に向けて立ち上がるように延在する板状の第２一側立設部１６とを有する。これにより、各基盤部に対する各立設部の屈折構造により各取付体の剛性を高めることができる。また、被取付部３や照明装置２に対して装着面１１ａや１５ａが密着した状態で装着できることにより、安定した取付姿勢と高い取付剛性を得ることができるため、耐震基準などを満たすことが容易になる。さらに、第１一側立設部１２と第２一側立設部１６との係合により回動支持機構が構成されることにより、被取付部３から照明装置２へ与えられる、平面に沿った撓み等の変形による影響を遮断することができる。さらに、板状材で取付具を構成できることにより薄型化を図ることができるため、照明装置２を被取付部３に近い位置に設置できる。
【００５６】
本実施形態では、図１に示すように、照明装置２の長さＬ２（長辺の長さ）に対して、照明装置用取付具１の第１側方立設部１４，１４及び第２側方立設部１８，１８の被取付部３に沿った延長方向の長さＬ１が１／２以上である。また、上記装置範囲である長さＬ２の範囲は、上記長さＬ１の範囲の両側に、それぞれ照明装置２の厚みＴ２以上の長さＬ３，Ｌ４を有する範囲を備えている。さらに、照明装置２の幅Ｗ２（短辺の長さ）に対して、照明装置用取付具１の第１一側立設部１２及び第２一側立設部１６の被取付部３に沿った延長方向の幅Ｗ１が１／２以上である。また、上記装置範囲である幅Ｗ２の範囲は、上記幅Ｗ１の範囲の両側に、それぞれ照明装置２の厚みＴ２以上の幅Ｗ３，Ｗ４を有する範囲を備えている。これにより、取付具１が視認されにくいように構成しつつ、照明装置２の被取付部３に対する取付剛性を確保することができる。
【００５７】
本実施形態において、図４に示すように、前記既定の取付姿勢における第１一側立設部１２及び第２一側立設部１６の被取付部３に沿った延長方向の形成範囲（幅Ｗ１２の範囲）に対するフック部１６ｓとフック係合部１２ｓとの係合領域（幅Ｗｓの範囲）の割合は、１／３以上、３／４以下である。これにより、回動支持機構を構成する回動軸線に沿った方向の係合範囲の割合が高くなるためにフック部１６ｓをフック係合部１２ｓに係合させやすくなるとともに、回動支持機構による回動時の支持範囲の割合も高くなるので、安定した回動を実現できる。また、係合範囲が限定されることで、被取付部３と、既定の取付姿勢にある照明装置２との間隔が小さい場合にも、取付作業を容易に行うことができる。
【００５８】
一方、上記回動阻止機構において、第１取付体１Ａの上記他側にある部分と第２取付体１Ｂの上記他側にある部分に対応する部分とのいずれか一方が爪部１３ｔであり、他方が爪係合部１７ｔであるとともに、爪部１３ｔと爪係合部１７ｔとが弾性変形により係脱動作するように構成されることにより、既定の取付姿勢を確実に実現できるとともに、爪部１３ｔと爪係合部１７ｔの係脱作業を容易に行うことができる。
【００５９】
本実施形態において、第１取付体１Ａは、被取付部３に沿って配置され、被取付部３に接する装着面１１ａを備えた板状の第１基盤部１１と、前記他側にある部分において第１基盤部１１から前記既定の取付姿勢にある照明装置２の側に向けて立ち上がるように延在する板状の第１他側立設部１３とを有する。また、第２取付体１Ｂは、照明装置２に沿って配置され、照明装置２に接する装着面１５ａを備えた板状の第２基盤部１５と、前記他側にある部分に対応する部分において第２基盤部１５から前記既定の取付姿勢において被取付部３の側に向けて立ち上がるように延在する板状の第２他側立設部１７とを有する。これにより、板状材料の折り曲げ形態によって各取付体１Ａ，１Ｂを構成できるため、各取付体１Ａ，１Ｂの剛性を高めることができる。また、既定の取付姿勢において各取付体１Ａ，１Ｂの立設部が内外に重ね合された態様で取付具１が箱形状となるように組み合わされるため、薄型化を妨げずに十分な剛性を確保できる。さらに、被取付部３や照明装置２に対して装着面１１ａや１５ａが密着した状態で装着できることにより、安定した取付姿勢と高い取付剛性を得ることができるため、耐震基準などを満たすことも容易になる。また、第１他側立設部１３と第２他側立設部１７との係合により回動阻止機構が構成されることにより、被取付部３から照明装置２へ与えられる、平面に沿った撓み等の変形による影響を遮断することができる。さらに、板状材で取付具を構成できることにより薄型化を図ることができるため、照明装置２を被取付部３に近い位置に設置できる。
【００６０】
第１取付体１Ａ及び第２取付体１Ｂにおいて、第１一側立設部１２及び第２一側立設部１６、第１他側立設部１３及び第２他側立設部１７、並びに、第１側方立設部１４及び第２側方立設部１８は、それぞれ、第１基盤部１１及び第２基板部１５から独立して立ち上がるように設けられる。これにより、各立設部が相互に影響を及ぼすことが防止される。例えば、第１側方立設部１４の外側に第２側方立設部１８を傾斜縁部１８ｐを案内として摺接させて既定の取付姿勢とすることにより、第１取付体１Ａと第２取付体１Ｂの幅方向のガタをなくすことができるが、これによって第１側方立設部１４と第２側方立設部１８が内外に変形しても、それが第１一側立設部１２及び第２一側立設部１６や第１他側立設部１３及び第２他側立設部１７を変形させることはない。また、これとは逆に、第１一側立設部１２及び第２一側立設部１６や第１他側立設部１３及び第２他側立設部１７の変形により、第１側方立設部１４及び第２側方立設部１８が変形をきたし、ガタが生ずるなどということも防止できる。さらに、各立設部の端縁部（第１側方立設部１４のストッパ部１４ｍ，１４ｎや第２側方立設部１８の端縁部１８ｈ，１８ｉ）を、前述のようにそれぞれの位置決め箇所として利用することもできる。
【００６１】
本実施形態において、上記回動支持機構は、第１取付体１Ａに対して前記第２取付体１Ｂが回動可能に支持された状態で、第１取付体１Ａに対する第２取付体１Ｂの上記一側への移動範囲を規制する規制構造、すなわち、第１一側立設部１２のフック係合部１２ｓ以外の部分１２ａと第２一側立設部１６の基部１６ａ、或いは、第１側方立設部１４，１４のストッパ部１４ｍ、１４ｍと第２側方立設部１８，１８の端縁部１８ｈ、１８ｈ、を備える。これにより、第２取付体１Ｂ（照明装置２）を被取付部３に対して斜めに押し付けるだけで規制構造による規制が生じた位置で位置決めされるため、照明装置２の被取付部３に対する取付作業をさらに容易化できる。また、ストッパ部１４ｍと端縁部１８ｈを用いる場合には、第１側方立設部１４，１４と第２側方立設部１８，１８の被取付部３に沿った延長方向の剛性を利用することができるので、小型化、軽量化、薄型化を図っても、十分な規制力を獲得することができる。この場合には、さらに、第１一側立設部１４と第２一側立設部１８の変形を回避することもできる。
【００６２】
本実施形態において、上記回動支持機構と上記回動阻止機構により、第１取付体１Ａに対して第２取付体１Ｂが既定の取付姿勢にある状態で、第１取付体１Ａの前記他側にある部分に対して第２取付体１Ｂの前記他側にある部分に対応する部分が被取付部３に沿って離反する向きへの移動範囲を規制する規制構造、すなわち、第１側方立設部１４，１４のストッパ部１４ｎ，１４ｎと、第２側方立設部１８，１８の端縁部１８ｉ，１８ｉを備える。これにより、回動阻止構造の係合構造（爪部１３ｔと爪係合部１７ｔ）が外れる虞を防止できる。また、回動阻止機構の係合構造を回動の阻止機能だけに絞って構成できるので、当該係合構造の簡易化や低コスト化を図ることができる。また、第１側方立設部１４，１４と第２側方立設部１８，１８の被取付部３に沿った延長方向の剛性を利用することができるので、小型化、軽量化、薄型化を図っても、十分な規制力を獲得することができる。
【００６３】
本実施形態では、被取付部３に沿った方向の一側にある回動支持機構の係合構造と、他側にある回動阻止機構の係合構造とが、上記方向と交差（図示例では直交）する方向のそれぞれ複数（２つ）の箇所に設けられている。これにより、既定の取付姿勢にあるときの照明装置２の被取付部３に対する支持部位が縦横に４か所以上存在することになる。このため、照明装置２を平面的に確実に固定することができることから、より安定した状態で取り付けることができる。なお、図示例のように、回動支持機構と回動阻止機構におけるそれぞれの係合構造は、一直線上に配列されていることが好ましいが、必ずしもこれに限定されるものではなく、幅方向（各立設部１２，１６，１３，１７の延長方向）の異なる箇所に配置されていればよい。
【００６４】
本実施形態において、照明装置２は面発光型の照明装置である。特に、前記被取付部の表面に沿った板状の装置形態を備える。これにより、被取付部３の表面上に近い位置に、被取付部３に沿った（平行な）姿勢で、コンパクトに照明装置２を設置することができる。また、複数の照明装置２を縦横に平面的に配列するように設置する場合でも、取付作業を容易に行うことができる。
【００６５】
尚、本発明の照明装置用取付具は、上記実施形態に示される態様に限定されるものではない。例えば、上記実施形態では、第１取付体１Ａと第２取付体１Ｂが相互に着脱可能に構成されているが、上記回動支持構造を介して連結された構造を有するものであっても構わない。この場合、照明装置２を装着した第２取付体１Ｂと予め回動可能に連結された第１取付体１Ｂを天井や壁などの被取付部３に固定する作業を実施し、その後、第２取付体１Ｂ及び照明装置２を上記方向Ｒに沿って回動させ、回動阻止機構により既定の取付姿勢を得るようにしてもよい。
【符号の説明】
【００６６】
１…照明装置用取付具、１Ａ…第１取付体、１１…第１基盤部、１１ａ…装着面、１１ｂ，１１ｃ，１１ｄ…外周縁、１２…第１一側立設部、１２ｓ…フック係合部（孔部）、１３…第１他側立設部、１３ｓ…開口部、１３ｔ…爪部、１３ｕ…係合片、１３ｖ…固定構造、１４…第１側方立設部、１４ｍ，１４ｎ…ストッパ部、１Ｂ…第２取付体、１５…第２基盤部、１５ａ…装着面、１５ｂ，１５ｃ，１５ｄ…外周縁、１６…第２一側立設部、１６ｓ…フック部、１６ｓａ…被支持部、１６ｓｂ…延長部、１７…第２他側立設部、１７ｔ…爪係合部（開口部）、１７ｐ…傾斜縁部、１８…第２側方立設部、１８ｈ，１８ｉ…端縁部、１８ｐ…傾斜縁部
【図１】
2019067666.tif 000003
【図２】
2019067666.tif 000004
【図３】
2019067666.tif 000005
【図４】
2019067666.tif 000006
【図５】
2019067666.tif 000007
【図６】
2019067666.tif 000008
【図７】
2019067666.tif 000009
【図８】
2019067666.tif 000010
【図９】
2019067666.tif 000011
【図１０】
2019067666.tif 000012